(57)【特許請求の範囲】
【請求項１】
ビデオカメラ本体部と、該ビデオカメラ本体部を支持するスタンドと、該スタンドに上記ビデオカメラ本体部を上下方向に回動可能に取付けているチルト機構と、上記スタンドに設けられた外部接続用のコネクタとを備えたビデオカメラであって、
上記ビデオカメラ本体部は、スタンドに設けた外部接続用のコネクタの周囲を覆うコネクタ保護部を有していることを特徴とするビデオカメラ。
【発明の詳細な説明】
【０００１】
【産業上の利用分野】
本発明はテレビ会議等において、会議参加者等を撮像するのに使用して好適なビデオカメラに関するものである。
【０００２】
【従来の技術】
テレビ会議等に用いられるビデオカメラは、一般にモニターの上に置かれて使用され、該モニターの前に座っている会議参加者の顔等を撮像するようになっている。
【０００３】
そして、上記ビデオカメラによって撮像された映像はワークステーションや電話回線等を使用した通信システムにより相手方のモニターに映し出され、遠隔地にいる者同士が互いに顔を見ながら会議を行うことができるようになっている。
【０００４】
ところで、従来のビデオカメラを、ただ単にモニターの上に置いて使用した場合には、ビデオカメラのレンズは水平方向を向き、上下方向に回動させることが困難である。
【０００５】
そこで、従来は所謂旋回雲台を使用し、該雲台を介してビデオカメラをモニターの上に載せて使用することが行われている。
【０００６】
しかし、上述の場合は、モニターの上に雲台を載せ、該雲台の上に更にビデオカメラを載せるという性質上、ビデオカメラのレンズの位置が雲台のぶんだけ高くなり、モニターの前に座っている人とビデオカメラの位置が離れ、また高い位置から見下ろしたアングルになるという欠点があった。
【０００７】
このような欠点を解決するために、例えば実開昭６１−７５５９４号の旋回雲台のテレビカメラ取付け構造が開発された。
【０００８】
上記ビデオカメラ取付け構造は、図７〜図８に示したように、旋回雲台１と、該旋回雲台１の横方向に伸ばしたアーム２と、該アーム２の一端に吊る下げたブラケット３とを具備し、該ブラケット３にテレビカメラ４を取付けるようになっている。
【０００９】
【発明が解決しようとする課題】
上記従来の旋回雲台のテレビカメラ取付け構造は、旋回雲台１の位置（高さ）までテレビカメラ４の位置（高さ）を下げることができるという利点があるが、次に述べるような問題点がある。
【００１０】
（１）テレビカメラと別体となっているため、別途購入しなければならない。また、テレビカメラへの取付け、取外しが面倒である。
【００１１】
（２）テレビカメラに電源コード等を接続した場合に、該電源コード等により旋回雲台が振られて、テレビカメラを所望の位置に固定させるのが難しい。
【００１２】
本発明は、上記従来の旋回雲台を使用せずに、レンズの位置を可及的にモニター側に近づけ、かつレンズを上下方向に回動させることができ、しかも電源コード等を接続した場合に、これによって振られることのなく、しかもスタンドに設けた外部接続用のコネクタの周囲を保護することのできるテレビカメラ（以下、ビデオカメラという）を提供することを目的としてなされたものである。
【００１３】
【課題を解決するための手段】
請求項１の発明は、ビデオカメラ本体部と、該ビデオカメラ本体部を支持するスタンドと、該スタンドに上記ビデオカメラ本体部を上下方向に回動可能に取付けているチルト機構と、上記スタンドに設けられた外部接続用のコネクタと、を備えたビデオカメラにおいて、
上記ビデオカメラ本体部に、スタンドに設けた外部接続用のコネクタの周囲を覆うコネクタ保護部を設けた。
【００１４】
削除
【００１５】
【作用】
請求項１のビデオカメラは、スタンドにコネクタを設けたので、該コネクタに電源コード等を接続した場合でも、該電源コード等によって、ビデオカメラ本体部が振られることはない。また、スタンドに設けたコネクタの周囲がビデオカメラ本体部に設けたコネクタ保護部で覆われて保護される。
【００１６】
削除
【００１７】
【実施例】
次に本発明を図１〜図６を参照して説明する。
【００１８】
図１は、本発明のビデオカメラ１を正面側から見た斜視図、図２は背面図、図３は分解斜視図である。
【００１９】
上記ビデオカメラ１は、ビデオカメラ本体部２と、該ビデオカメラ本体部２を支持するスタンド３と、該スタンド３に上記ビデオカメラ本体部２を上下方向に回動可能に取付けているチルト機構４を備えている。
【００２０】
図２に示したように、上記スタンド３は、背面側に外部接続用のコネクタ５を有している。
【００２１】
上記ビデオカメラ本体部２は、上記コネクタ５の周囲を覆うコネクタ保護部６を有している。
【００２２】
上記スタンド３は、ベースプレート７と、該ベースプレート７上に立設されたアーム部（ビデオカメラ本体取付部）８とからなっている。
【００２３】
上記コネクタ５は、上記アーム部８の背面側に設けられていて、電源用のピンジャック部５ａ、オーディオ用のピンジャック部５ｂ、ビデオ用のピンジャック部５ｃを有している。
【００２４】
上記コネクタ保護部６は、ビデオカメラ本体部２の背面を、上記コネクタ５を設けたスタンド３のアーム部８の背面側に突出させることにより、所謂庇（ひさし）状に作られていて、上記アーム部８乃至コネクタ５の上方と左右の側方を覆うようになっている。
【００２５】
図１に示したように、上記ビデオカメラ本体部２は、フロントパネル（ベズル）１１と、上、下ケース１２，１３とで筺体１４が構成されている。
【００２６】
そして、上記下ケース１３に設けた凹部９内において、チルト機構４により、ビデオカメラ本体部２はスタンド３のアーム部８に上下方向に回動可能に取付けられていて、上記フロントパネル１１に取付けられているレンズ１０の俯角と仰角を自由に変化させることができるようになっている。
【００２７】
１５はフロントパネル１１に設けられたレンズ取付用の凹部である。
【００２８】
図４〜図６に示したように、上記チルト機構４は、上記下ケース１３に設けられた第１，第２の枢支板２１，２２と、上記スタンド３のアーム部８に設けられていて、上記第１，第２の枢支板２１，２２の内側にそれぞれ重ね合わせた状態で配置されている第３，第４の枢支板２３，２４と、上記互いに重ね合わされた第１，第３の枢支板２１，２３の間および第２，第４の枢支板２２，２４の間に介在された摩擦発生用のＯリング２５，２６と、上記第１〜第４の枢支板２１〜２４に設けられている軸受穴２１ａ〜２４ａに挿入することにより、上記下ケース１３をアーム部８に回動可能に取付けているとともに、上記第１，第２の枢支板２１，２２の間隔を狭めることにより、これら第１，第２の枢支板２１，２２を上記Ｏリング２５，２６を介して、第３，第４の枢支板２３，２４に圧着させる枢支軸２７とを備えている。
【００２９】
上記第１の枢支板２１は、下ケース１３のスタンド取付用の凹部９を構成する一側面板によって形成されている。
【００３０】
上記第２の枢支板２２は、上記凹部９の一側面板と対向する側面板の一部に切欠部３１を設け、該切欠部３１にＬ字状の板金を取付けることにより形成されている（図３参照）。
【００３１】
上記第２の枢支板２２をＬ字状の板金で構成したのは、該第２の枢支板２２を第１の枢支板２１側に向けて撓ませることができるようにするためである。（上記第１の枢支板２１は、下ケース１３のスタンド取付用の凹部９を構成する一側面板で構成されているために撓ませることが難しい。そこで、上記第１の枢支板２１に対向する第２の枢支板２２をＬ字状の板金で形成して可撓性をもたせることにより、これら第１，第２の枢支板２１，２２の間隔を調整できるようにした）。
【００３２】
上記第３，第４の枢支板２３，２４は、上記スタンド３のアーム部８の左右の側面板で構成されている。
【００３３】
上記第３，第４の枢支板２３，２４の外側面には、軸受穴２３ａ，２４ａを中心にしてリング状のＯリング嵌合溝３２，３３が形成されていて、これらＯリング嵌合溝３２，３３に上記Ｏリング２５，２６が取付けられている。
【００３４】
そして、上記Ｏリング２５，２６をＯリング嵌合溝３２，３３に取付けた状態で、上記スタンド３のアーム部８を下ケース１３のスタンド取付用の凹部９内に挿入すると、上記第１，第２の枢支板２１，２２の内側に第３，第４の枢支板２３，２４が位置して、これら第３，第４の枢支板２３，２４の外側面のＯリング嵌合溝３２，３３に取付けたＯリング２５，２６が上記第１，第２の枢支板２１，２２の内側面に接触するようになっている。
【００３５】
図３に示したように、上記枢支軸２７は、頭部２７ａと、該頭部２７ａの一端部に連設された頭部２７ａよりも小径の軸部２７ｂと、該軸部２７ｂの一端部に連設された軸部２７ｂよりも小径のねじ部２７ｃとによって所謂段付きねじ状に形成されている。
【００３６】
上記枢支軸２７は、上記第１の枢支板２１の側方から上記第１の枢支板２１の軸受穴２１ａ、第３の枢支板２３の軸受穴２３ａ、第４の枢支板２４の軸受穴２４ａに上記軸部２７ｂが順次挿入され、先端のねじ部２７ｃが第２の枢支板２２の軸受穴２２ａとしてのねじ穴に螺合されている。
【００３７】
上記枢支軸２７は、軸部２７ｂによって下ケース１３をアーム部８に回動可能に枢支しているとともに、上記ねじ部２７のねじ穴としての軸受穴２２ａへのねじ込み度合を調整することにより、第１の枢支板２１と第２の枢支板２２の間隔を調整し、第１の枢支板２１と第３の枢支板２３の間および第２の枢支板２２と第４の枢支板２４の間に発生する摩擦力を加減して、下ケース１３およびビデオカメラ本体部２を回動させるのに必要な操作力や、所定の位置に回動させた下ケース１３およびビデオカメラ本体部２をその位置に保持するための保持力を所望の値に設定できるようになっている。
【００３８】
なお、４１と４２は、枢支軸２７に取付けられたスプリングワッシャーとワッシャーである。
【００３９】
上記スプリングワッシャー４１とワッシャー４２は、枢支軸２７の頭部２７ａと第１の枢支板２１との間で挾着される。
【００４０】
また、上記フロントパネル１１の内側には、ＣＣＤ（図示省略）と、ＣＣＤ基板（ＢＩ基板）４３が配置されている。
【００４１】
上記ＣＣＤ基板４３には、コントロール基板（ＵＣ基板）４４が接続される。
【００４２】
上記ＣＣＤ基板４３とコントロール基板４４は、上記ＣＣＤ基板４３の上端の中央部に設けたコネクタ４５と、上記コントロール基板４４の一端側の中央部に設けたコネクタ４６を嵌合することにより電気的およびメカ的に接続されるようになっている。
【００４３】
上記コントロール基板４４の他端側（コネクタ４６の反対側）の両端部には、第１，第２の軸受穴４７，４８が設けられている。
【００４４】
一方、上記下ケース１３には、上記コントロール基板４４の軸受穴４７，４８の近傍を支持する第１，第２のコントロール基板支持部材４９，５０が設けられている。
【００４５】
上記第１，第２のコントロール基板支持部材４９，５０は、上記コントロール基板４４を上端面上に載置する平面視略十字状の大径軸部５１と、該大径軸部５１の上端面の中央部に突設されていて、上記軸受穴４７又は４８に遊嵌される小径軸部５２とを備えている。
【００４６】
上記第１，第２のコントロール基板支持部材４９，５０は、上記小径軸部５２を上記軸受穴４７又は４８に遊嵌し、かつ大径軸部５１の上端面で、上記軸受穴４７，４８の周縁部を載置した状態で、上記コントロール板４４の一端側の両端部を上記凹部９の上方において支持するようになっている。
【００４７】
上述のように、一端側を上記コネクタ４６，４５を介してＣＣＤ基板４３に接続され、他端側を上記第１，第２のコントロール基板支持部材４９，５０に支持されたコントロール基板４４は、下ケース１３上にねじ５３…５３で結合された上ケース１２により、小径軸部５２から軸受穴４７又は４８が抜け出ることのないように、上，下動を規制された状態で、上記上，下ケース１２，１３の間に挾まれた状態で取付けられている。
【００４８】
なお、６１，６２，６３は、上記スタンド３側に設けたＣＮ基板６４（図６参照）から引き出されたリード線であり、これらリード線６１，６２，６３は、上記ビデオカメラ本体部２のコントロール基板４４等に接続されるようになっている。
【００４９】
なお、スタンド３は、ビデオカメラ本体部２を安定した状態で支持することのできる大きさおよび重さに形成されている。
【００５０】
実施例のビデオカメラは上述のような構成であるから、スタンド３を使用することにより、安定した状態でコンピューターのモニター等の上に載置し、上記スタンド３の背面側に設けたコネクタ５に電源コード等を接続して使用することができるのである。
【００５１】
【発明の効果】
本発明のビデオカメラには次に述べるような効果がある。
【００５２】
（１）本発明のビデオカメラは、ビデオカメラ本体部を回動可能に取付けているスタンドにコネクタを設けたので、該コネクタにリード線を接続した場合でも、リード線の剛性等によってビデオカメラ本体部が振られて回動してしまうというようなことを未然に防止し、ビデオカメラ本体部を所望の角度に向けておくことができる。
【００５３】
（２）本発明のビデオカメラは、ビデオカメラ本体部に設けたコネクタ保護部でコネクタの周囲を覆うようにして、コネクタを保護し、該コネクタに接続されているリード線等が外れないように保護する。
【図面の簡単な説明】
【図１】斜視図。
【図２】背面側から見た斜視図。
【図３】分解斜視図。
【図４】要部の断面図。
【図５】要部の断面図。
【図６】要部の断面図。
【図７】従来例の正面図。
【図８】従来例の側面図。
【符号の説明】
１…ビデオカメラ
２…ビデオカメラ本体部
３…スタンド
４…チルト機構
５…コネクタ
６…コネクタ保護部
【図１】
0003572675.tif 000002
【図２】
0003572675.tif 000003
【図３】
0003572675.tif 000004
【図４】
0003572675.tif 000005
【図５】
0003572675.tif 000006
【図６】
0003572675.tif 000007
【図７】
0003572675.tif 000008
【図８】
0003572675.tif 000009